(57)【要約】【課題】電気式浴室換気乾燥機は製造メーカーが定める期間の使用経過後に製造メーカーが点検を実施することが義務付けられ、長期使用における機器の性能を維持するために、機器の設置場所や、使用年数を製造メーカーが容易に把握できるようにする。【解決手段】浴室換気乾燥機の運転操作を行う浴室外の壁面に備えられた浴室換気乾燥機の操作部６ＡにＱＲコード５を表示し、ＱＲコード読み取り機能を有する携帯電話４Ａを用いることで携帯電話４Ａにて機器の名称、製造年月日、製造メーカーへの使用登録が実施可能となり、製造メーカーにて使用者情報の管理が可能で製造メーカーが定めた期間経過後、点検を促すための案内を携帯電話４Ａに送信できる情報表示システムを提供できる。【選択図】図１
2009250526.tif 000002
【特許請求の範囲】
【請求項１】
浴室換気乾燥機と浴室換気乾燥機の運転操作を行う浴室外の壁面に備えられた浴室換気乾燥機の操作部と、この操作部にＱＲコードを表示し、ＱＲコード読み取り機能を有する携帯電話を用い、浴室換気乾燥機の情報を携帯電話に表示する情報表示システム。
【請求項２】
浴室換気乾燥機の製品名や製造年月日等の製造情報をＱＲコードの情報として記憶させたことを特徴とする請求項１記載の情報表示システム。
【請求項３】
ＱＲコード読み取り機能を有する携帯電話にてＱＲコードを読み取ることで、浴室換気乾燥機の設置場所、使用開始時期等の情報を浴室換気乾燥機の製造メーカーが管理するサーバー内の製造メーカーデーターベースへ登録可能とするために、この製造メーカーデーターベースへリンクするホームページアドレスが携帯電話に表示され、使用者が製造メーカーデーターベースへ情報を登録することで、使用者情報を浴室換気乾燥機の製造メーカーデーターベースにて管理可能とした請求項２記載の情報表示システム。
【請求項４】
ＱＲコードに浴室換気乾燥機の使用方法を記憶しておくことで、ＱＲコード読み取り機能を有する携帯電話にて浴室換気乾燥機の使用方法を確認できるようにしたことを特徴とする請求項１記載の情報表示システム。
【請求項５】
赤外線送信部を備えた浴室外の壁面に設置された浴室換気乾燥機の操作部と、赤外線受信手段を備えた携帯電話により、浴室換気乾燥機の運転時間や、各アクチュエーターの運転積算時間の情報を携帯電話で表示可能とした情報表示システム。
【請求項６】
赤外線送信部を備えた浴室外の壁面に設置された浴室換気乾燥機の操作部に赤外線送信スイッチを備え、スイッチ操作時のみ赤外線により情報を送信可能とした請求項５記載の情報表示システム。
【請求項７】
携帯電話にて受信した機器や、各アクチュエーターの運転積算情報が製造メーカーが定める規定の時間に達していた時に、浴室換気乾燥機の製造メーカーに機器の点検を促す表示と点検を依頼するように製造メーカーデーターベースへリンクするホームページアドレスを携帯電話に表示した請求項６記載の情報表示システム。
【発明の詳細な説明】
【技術分野】
【０００１】
本発明は、家庭用浴室に設置される浴室換気乾燥の情報表示システムに関する。
【背景技術】
【０００２】
従来、この種の情報表示システムは車両情報認識システムとして車両の異常を検出ものが知られている。
【０００３】
また、昨今の電気火災不具合事例より電気式浴室換気乾燥機は製造メーカーが定める期間の使用経過後に製造メーカーが点検を実施することが義務付けられ、機器の設置場所や、使用年数を製造メーカーが把握し、機器の性能を維持することが求められている。
【０００４】
以下、従来の情報表示システムである車両情報認識システムについて図３を参照しながら説明する。
【０００５】
図３に示すように、走行レバー１０１、荷役レバー１０２、各種センサ１０３の情報をもとに走行装置１０４、荷役装置１０５を制御し、車両各部の故障を自己診断する故障診断装置１０６に故障情報を出力するコントローラー１０７と、故障診断装置１０６により警告表示する警告ランプ１０８と多次元バーコードを表示する表示装置１０９を備えた車両と、多次元バーコードを読み取り可能な携帯電話１１０と携帯電話と通信可能な修理書サーバー１１１で構成され、故障診断装置１０６はコントローラー１０７から車両の故障情報を検出すると、故障の内容及び修理書サーバー１１１のインターネット上のアドレスを表す多次元バーコードを作成し、表示装置１０９に表示させ、携帯電話１１０にて多次元バーコードを読み取ることで修理書サーバー１１１にアクセス可能となり、故障に対する修理案内を閲覧したりダウンロードすることができるように構成されていた。
【特許文献１】特開２００７−８３３６号公報
【発明の開示】
【発明が解決しようとする課題】
【０００６】
このような情報表示システムは車両の故障時に故障に対する修理案内を閲覧したりダウンロードするものであり、車両が故障する前段階での対応はできないという課題があった。
【０００７】
本発明は、上記課題を解決するもので、浴室換気乾燥機の操作部に携帯電話で読み取り可能で、浴室換気乾燥機の情報を記憶させたＱＲコードを表示し、製造メーカーが定める期間の使用経過後にユーザーに点検を促すことができる情報表示システムを提供することを目的としている。
【課題を解決するための手段】
【０００８】
本発明の情報表示システムは、上記目的を達成するために、浴室換気乾燥機と浴室換気乾燥機の運転操作を行う浴室外の壁面に備えられた浴室換気乾燥機の操作部と、この操作部にＱＲコードを表示し、ＱＲコード読み取り機能を有する携帯電話を用い、浴室換気乾燥機の情報を携帯電話に表示するものである。
【０００９】
この手段により、浴室換気乾燥機の情報を携帯電話に表示できる情報表示システムが得られる。
【００１０】
また、他の手段は、浴室換気乾燥機の製品名や製造年月日等の製造情報をＱＲコードの情報として記憶させたことを特徴としたものである。
【００１１】
この手段により、浴室換気乾燥機の製品名や製造年月日等の製造情報を携帯電話で表示できる情報表示システムが得られる。
【００１２】
また、他の手段は、ＱＲコード読み取り機能を有する携帯電話にてＱＲコードを読み取ることで、浴室換気乾燥機の設置場所、使用開始時期等の情報を浴室換気乾燥機の製造メーカーが管理するサーバー内の製造メーカーデーターベースへ登録可能とするために、この製造メーカーデーターベースへリンクするホームページアドレスが携帯電話に表示され、使用者が製造メーカーデーターベースへ情報を登録することで、使用者情報を浴室換気乾燥機の製造メーカーデーターベースにて管理可能としたものである。
【００１３】
この手段により、浴室換気乾燥機の製造メーカーデーターベースに浴室換気乾燥機の使用情報を、携帯電話を利用して登録できる情報表示システムが得られる。
【００１４】
また、他の手段は、ＱＲコードに浴室換気乾燥機の使用方法を記憶しておくことで、ＱＲコード読み取り機能を有する携帯電話にて浴室換気乾燥機の使用方法を確認できるようにしたものである。
【００１５】
この手段により、付属の取扱い説明書以外に携帯電話から使用方法が確認できる情報表示システムが得られる。
【００１６】
また、他の手段は、赤外線送信部を備えた浴室外の壁面に設置された浴室換気乾燥機の操作部と、赤外線受信手段を備えた携帯電話により、浴室換気乾燥機の運転時間や、各アクチュエーターの運転積算時間の情報を携帯電話で表示可能としたものである。
【００１７】
この手段により、浴室換気乾燥機の運転時間や、各アクチュエーターの運転積算時間が携帯電話を利用して確認できる情報表示システムが得られる。
【００１８】
また、他の手段は、赤外線送信部を備えた浴室外の壁面に設置された浴室換気乾燥機の操作部に赤外線送信スイッチを備え、スイッチ操作時のみ赤外線により情報を送信可能としたものである。
【００１９】
この手段により、操作部の赤外線送信スイッチを操作することで携帯電話に情報を送信できる情報表示システムが得られる。
【００２０】
また、他の手段は、携帯電話にて受信した機器や、各アクチュエーターの運転積算情報が、製造メーカーが定める規定の時間に達していた時に、浴室換気乾燥機の製造メーカーに機器の点検を促す表示と点検を依頼するように製造メーカーデーターベースへリンクするホームページアドレスを携帯電話に表示したものである。
【００２１】
この手段により、携帯電話を利用して容易に浴室換気乾燥機の製造メーカーに機器の点検を依頼できる情報表示システムが得られる。
【発明の効果】
【００２２】
本発明によれば、浴室換気乾燥機の情報を携帯電話に表示できる情報表示システムを提供できる。
【００２３】
また、浴室換気乾燥機の製品名や製造年月日等の製造情報を携帯電話で表示できる情報表示システムを提供できる。
【００２４】
また、浴室換気乾燥機の製造メーカーに浴室換気乾燥機の使用情報を携帯電話を利用して登録できる情報表示システムを提供できる。
【００２５】
また、付属の取扱い説明書以外に携帯電話から使用方法が確認できる情報表示システムを提供できる。
【００２６】
また、浴室換気乾燥機の運転時間や、各アクチュエーターの運転積算時間が携帯電話を利用して確認できる情報表示システムを提供できる。
【００２７】
また、操作部の赤外線送信スイッチを操作することで携帯電話に情報を送信できる情報表示システムを提供できる。
【００２８】
また、携帯電話を利用して容易に浴室換気乾燥機の製造メーカーに点検を依頼できる情報表示システムを提供できる。
【発明を実施するための最良の形態】
【００２９】
本発明の請求項１記載の発明は、浴室換気乾燥機と浴室換気乾燥機の運転操作を行う浴室外の壁面に備えられた浴室換気乾燥機の操作部と、この操作部にＱＲコードを表示し、ＱＲコード読み取り機能を有する携帯電話を用い浴室換気乾燥機の情報を携帯電話に表示するものであり、浴室換気乾燥機の情報を携帯電話に表示できるとうい作用を有する。
【００３０】
また、請求項２記載の発明は、浴室換気乾燥機の製品名や製造年月日等の製造情報をＱＲコードの情報として記憶させたことを特徴とするものであり、浴室換気乾燥機の製品名や製造年月日等の製造情報を携帯電話で表示できるとうい作用を有する。
【００３１】
また、請求項３記載の発明は、ＱＲコード読み取り機能を有する携帯電話にてＱＲコードを読み取ることで、浴室換気乾燥機の設置場所、使用開始時期等の情報を浴室換気乾燥機の製造メーカーが管理するサーバー内の製造メーカーデーターベースへ登録可能とするために、この製造メーカーデーターベースへリンクするホームページアドレスが携帯電話に表示され、使用者が製造メーカーデーターベースへ情報を登録することで、使用者情報を浴室換気乾燥機の製造メーカーデーターベースにて管理可能としたものであり、浴室換気乾燥機の製造メーカーに浴室換気乾燥機の使用情報を携帯電話を利用して登録できるとうい作用を有する。
【００３２】
また、請求項４記載の発明は、ＱＲコードに浴室換気乾燥機の使用方法を記憶しておくことで、ＱＲコード読み取り機能を有する携帯電話にて浴室換気乾燥機の使用方法を確認できるようにしたことを特徴とするものであり、付属の取扱い説明書以外に携帯電話から使用方法が確認できるとうい作用を有する。
【００３３】
また、請求項５記載の発明は、赤外線送信部を備えた浴室外の壁面に設置された浴室換気乾燥機の操作部と、赤外線受信手段を備えた携帯電話により、浴室換気乾燥機の運転時間や、各アクチュエーターの運転積算時間の情報を携帯電話で表示可能としたものであり、浴室換気乾燥機の運転時間や、各アクチュエーターの運転積算時間が携帯電話を利用して確認できるとうい作用を有する。
【００３４】
また、請求項６記載の発明は赤外線送信部を備えた浴室外の壁面に設置された浴室換気乾燥機の操作部に赤外線送信スイッチを備え、スイッチ操作時のみ赤外線により情報を送信可能としたものであり、操作部の赤外線送信スイッチを操作することで携帯電話に情報を送信できるという作用を有する。
【００３５】
また、請求項７記載の発明は、携帯電話にて受信した機器や、各アクチュエーターの運転積算情報が製造メーカーが定める規定の時間に達していた時に、浴室換気乾燥機の製造メーカーに機器の点検を促す表示と点検を依頼するように製造メーカーデーターベースへリンクするホームページアドレスを携帯電話に表示したものであり、携帯電話を利用して容易に浴室換気乾燥機の製造メーカーに機器の点検を依頼できるとうい作用を有する。
【００３６】
以下、本発明の実施形態について図面を参照しながら説明する。
【００３７】
（実施の形態１）
図１に示すように、本発明の実施の形態１の情報表示システムは、浴室１の天井面に設置された浴室換気乾燥機２Ａと、この浴室換気乾燥機２Ａ内に設けた浴室換気乾燥機の運転を制御する制御手段３Ａと、浴室１外の壁面に設置され、浴室換気乾燥機２Ａの制御手段３Ａと接続され、有線通信にて浴室換気乾燥機２Ａの運転操作を行い、携帯電話４ＡのＱＲコード読み取り機能にて読み取り可能な機器の名称、製造年月日、取扱い方法および、製造メーカーのホームページアドレスをコード化して記憶させたＱＲコード５が印刷された操作手段６Ａと、浴室換気乾燥機２Ａの使用情報を登録する製造メーカーが管理するサーバー７内の製造メーカーデーターベース８により構成される。
【００３８】
浴室換気乾燥機２Ａは、浴室１内を循環する温風の生成ができ、浴室１内の空気を浴室１外に換気できればその構成に制約はない。
【００３９】
浴室換気乾燥機２Ａは浴室１の天井面に設置したが、浴室１内の壁面に設置してもよい。
【００４０】
操作部６Ａは浴室換気乾燥機本体内の制御装置３Ａと有線通信する構成としたが、有線通信でも赤外線や電波を利用した無線通信でもよい。
【００４１】
上記構成により、ユーザーが携帯電話４Ａにて操作手段６Ａに印刷されたＱＲコード５を読み取ると、携帯電話４Ａの画面に機器の名称と製造年月日情報と、取扱い説明方法、製造メーカーデーターベース８へリンクするホームページアドレスが表示される。そして携帯電話４Ａの画面に表示されたホームページアドレスを選択すると、製造メーカーデーターベース８へ接続され、浴室換気乾燥機２Ａの使用登録としてユーザー名、電子メールアドレス、使用場所住所、使用開始日を入力することと、ＱＲコード５に記憶されている機器の名称と製造年月日情報が同時に送信され、製造メーカーデーターベース８に浴室換気乾燥機２Ａの使用情報登録が行われる。そして、浴室換気乾燥機２Ａの使用が製造メーカーの定める期間経過後、製造メーカーデーターベース８に登録されている情報をもとに、登録されたユーザーの電子メールアドレスへ浴室換気乾燥機２Ａの点検実施の案内を送信することで、ユーザーに浴室換気乾燥機２Ａの点検を促す。
【００４２】
こうすることにより、浴室換気乾燥機２Ａの製造メーカーが定める期間内に点検を行うことが可能となり、浴室換気乾燥機２Ａの性能を維持することができる。
【００４３】
なお、本実施例では、製造メーカーが管理するサーバー７内の製造メーカーデーターベース８へリンクするホームページアドレスとしたが、浴室換気乾燥機２Ａのサービス、メンテナンスが製造メーカーと異なるメーカーである場合、そのメーカーの管理するサーバー内のメーカーデーターベースにリンクするホームページアドレスとしても同様な効果が得られる。
【００４４】
取扱い方法をコード化し、ＱＲコード５に記憶させたが、取扱い説明方法が簡単な場合は、ＱＲコード５に記憶できるが、複雑な場合は、ＱＲコード５に記憶されているホームページアドレスより製造メーカーデーターベース８に接続し、取扱い説明方法の確認を可能としても取扱い方法が確認できれば記憶しなくても同様な効果が得られる。
【００４５】
（実施の形態２）
図２に示すように、本発明の実施の形態２の情報表示システムは、浴室１の天井面に設置された浴室換気乾燥機２Ｂと、この浴室換気乾燥機２Ｂ内に設けた浴室換気乾燥機の運転の制御と、浴室換気乾燥機２Ｂに内蔵されたアクチュエーターの運転積算時間を記憶する記憶部９を備えた制御手段３Ｂと、浴室１外の壁面に設置され、浴室換気乾燥機２Ｂの制御手段３Ｂと接続され、有線通信にて浴室換気乾燥機２Ｂの運転操作を行い、赤外線受信手段を備えた携帯電話４Ｂに送信可能な赤外線送信手段１０と、赤外線送信を行う赤外線情報送信スイッチ１１を備えた操作手段６Ｂにより構成される。
【００４６】
なお、本実施例では、アクチュエーターの運転積算時間を赤外線送信手段１０により送信したが、実施の形態１同様に機器の名称と製造年月日情報と、取扱い説明方法の情報を送信してもよい。
【００４７】
アクチュエーターは例えば、電気式のＰＴＣ素子を使用したヒーターや、ハロゲンランプを使用したヒーター、循環温風を生成するモーター、浴室内の空気を排出する換気用モーターがある。
【００４８】
記憶部９の一例として、例えば電気的に書き込み消去可能な不揮発性メモリーがある。
【００４９】
浴室換気乾燥機２Ｂは、実施の形態１同様に、浴室１内を循環する温風の生成ができ、浴室１内の空気を浴室１外に換気できればその構成に制約はない。
【００５０】
浴室換気乾燥機２Ｂは実施の形態１同様に、浴室１の天井面に設置したが、浴室１内の壁面に設置してもよい。
【００５１】
操作部６Ｂは浴室換気乾燥機本体内の制御装置３Ｂと有線通信する構成としたが、実施の形態１同様に有線通信でも赤外線や電波を利用した無線通信でもよい。
【００５２】
上記構成により、必要に応じてユーザーやメンテナンス者が携帯電話４Ｂの赤外線受信状態にし、操作部６Ｂの赤外線情報送信スイッチ１１を操作すると、制御手段３Ｂ内の記憶部９に記憶された浴室換気乾燥機２Ｂに内蔵されたアクチュエーターの運転積算時間情報が携帯電話４Ｂに赤外線情報として送信される。そして携帯電話４Ｂで受信した浴室換気乾燥機２Ｂに内蔵されたアクチュエーターの運転積算時間情報が製造メーカーが定める規定の運転時間に達していると携帯電話４Ｂに製造メーカーが管理するサーバー７内の製造メーカーデーターベース８へリンクするホームページアドレスが表示され、そのホームページアドレスを選択することで、製造メーカーに浴室換気乾燥機２Ｂの点検を依頼することができる。こうすることにより、浴室換気乾燥機２Ｂの製造メーカーが定める使用期間内であってもアクチュエーター個別に製造メーカーが定める規定の運転時間に達していることが確認でき、浴室換気乾燥機２Ａの性能を維持することができる。
【００５３】
なお、本実施例では、実施の形態１同様に製造メーカーが管理するサーバー７内の製造メーカーデーターベース８へリンクするホームページアドレスとしたが、浴室換気乾燥機２Ａのサービス、メンテナンスが製造メーカーと異なるメーカーである場合、そのメーカーの管理するサーバー内のメーカーデーターベースにリンクするホームページアドレスとしても同様な効果が得られる。
【産業上の利用可能性】
【００５４】
定期的なメンテナンスにより機器の性能を維持することが必要な家庭用電化製品や産業用機器への利用も可能である。
【図面の簡単な説明】
【００５５】
【図１】本発明の実施の形態１の情報表示システムの構成を示す構成図
【図２】本発明の実施の形態２の情報表示システムの構成を示す構成図
【図３】従来例の情報表示システムの構成を示す構成図
【符号の説明】
【００５６】
１      浴室
２Ａ    浴室換気乾燥機
２Ｂ    浴室換気乾燥機
３Ａ    制御手段
３Ｂ    制御手段
４Ａ    携帯電話
４Ｂ    携帯電話
５      ＱＲコード
６Ａ    操作手段
６Ｂ    操作手段
７      サーバー
８      製造メーカーデーターベース
９      記憶部
１０    赤外線送信手段
１１    赤外線情報送信スイッチ
【図１】
2009250526.tif 000003
【図２】
2009250526.tif 000004
【図３】
2009250526.tif 000005